(57)【特許請求の範囲】
【請求項１】
１台のマスタ無線装置と１台もしくは複数台の任意のスレーブ無線装置から構成され、マスタ無線装置とスレーブ無線装置間で通信を可能とし、かつ通常は固定の通信相手と１対１のマスタ無線装置／スレーブ無線装置の組み合わせでのみ通信を行う無線通信システムにおいて、
前記マスタ（もしくはスレーブ）無線装置は、
組み合わせ相手以外の任意の無線装置を通信相手とするため、相手無線装置を探索する問い合わせメッセージに応じて、問い合わせスキャン実行の開始／終了を制御する指示を出力する問い合わせスキャン実行指示手段と、
該指示に基づいて問い合わせスキャンを実行する無線通信制御部と、
を有し、
無線によるデータ中継を行う際に、マスタ及びスレーブ無線装置のいずれかが、任意の無線中継装置による無線装置検出のために送信する問い合わせメッセージに対しスキャンを実行する場合、
前記マスタ（もしくはスレーブ）無線装置は、
問い合わせメッセージのスキャンを実行し、新規無線通信ネットワークのマスタデバイスとなる任意の無線中継装置にスレーブデバイスとして登録された後、前記無線中継装置に対し通常時固定的な組み合わせの通信相手である前記スレーブ（もしくはマスタ）無線装置を識別するための識別情報を通知するための識別情報通知手段を有し、
前記スレーブ（もしくはマスタ）無線装置の識別情報を通知された任意の無線中継装置は、
これら通常時の組み合わせである前記マスタ／スレーブ無線装置を関連づけた情報を記憶する関連づけ情報記憶手段と、
その情報を利用して前記スレーブ（もしくはマスタ）無線装置を自分がマスタデバイスとなる前記無線通信ネットワークのスレーブデバイスとして登録し、この登録が完了したことを前記マスタ（もしくはスレーブ）無線装置に通知し、また前記マスタ（もしくはスレーブ）無線装置とスレーブ（もしくはマスタ）無線装置の関連づけ情報が既登録であることを前記スレーブ（もしくはマスタ）無線装置に通知する通信相手登録通知手段と、
関連づけ情報記憶手段に記憶される一方の無線装置からのデータ及び音声を他方の無線装置に対して中継するデータ中継手段と、
を有し、
該マスタ／スレーブ無線装置間で伝送されるデータを中継することでデータ伝送距離を拡張することを特徴とする無線通信システム。
【請求項２】
１台のマスタ無線装置と１台もしくは複数台の任意のスレーブ無線装置から構成され、マスタ無線装置とスレーブ無線装置間で通信を可能し、かつ通常は固定の通信相手と１対１のマスタ無線装置／スレーブ無線装置の組み合わせでのみ通信を行う無線通信システムにおいて、
前記マスタ（もしくはスレーブ）無線装置は、
組み合わせ相手以外の任意の無線装置を通信相手とするため、相手無線装置を探索する問い合わせメッセージ送信の開始／終了を制御する指示を出力する問い合わせメッセージ送信指示手段と、
該指示に基づいて問い合わせメッセージを送信する無線通信制御部と、
を有し、
無線によるデータ中継を行う際に、マスタ及びスレーブ無線装置のいずれかが、任意の無線中継装置に対し無線装置検出のための問い合わせメッセージを送信する場合、
前記マスタ（もしくはスレーブ）無線装置は、
問い合わせメッセージを送信し、任意の無線中継装置をスレーブデバイスとして登録した後、スレーブデバイスである任意の無線中継装置に対し通常時固定的な組み合わせの通信相手である前記スレーブ（もしくはマスタ）無線装置を識別するための識別情報を通知するための識別情報通知手段を有し、
前記スレーブ（もしくはマスタ）無線装置の識別情報を通知された任意の無線中継装置は、
これら通常時の組み合わせである前記マスタ／スレーブ無線装置を関連づけた情報を記憶する関連づけ情報記憶手段と、
その情報を利用して前記スレーブ（もしくはマスタ）無線装置を自分がマスタデバイスとなる新規無線通信ネットワークのスレーブデバイスとして登録し、この登録が完了したことを前記マスタ（もしくはスレーブ）無線装置に通知し、また前記マスタ（もしくはスレーブ）無線装置とスレーブ（もしくはマスタ）無線装置の関連づけ情報が既登録であることを前記スレーブ（もしくはマスタ）無線装置に通知する通信相手登録通知手段と、
関連づけ情報記憶手段に記憶される一方の無線装置からのデータ及び音声を他方の無線装置に対して中継するデータ中継手段と、
を有し、
該マスタ／スレーブ無線装置間で伝送されるデータを中継することでデータ伝送距離を拡張することを特徴とすることを特徴とする無線通信システム。
【請求項３】
前記マスタ（もしくはスレーブ）無線装置は、問い合わせメッセージに対する前記スキャン実行指示手段による指示に応じて、同時に通常時固定的な組み合わせとなっている他方の無線装置に対しても、該無線通信を利用して問い合わせスキャン実行の開始／終了を通知する指示中継通知手段を有することを特徴とする請求項１記載の無線通信システム。
【請求項４】
前記マスタ（もしくはスレーブ）無線装置は、問い合わせメッセージに対する前記スキャン実行指示手段による指示に応じて、同時に通常時固定的な組み合わせとなっている他方の無線装置に対しても、該無線通信を利用して問い合わせメッセージ送信の開始／終了を通知する指示中継通知手段を有することを特徴とする請求項２記載の無線通信システム。
【請求項５】
前記マスタ（もしくはスレーブ）無線装置は、前記問い合わせメッセージ送信指示手段による指示に応じて、同時に通常時固定的な組み合わせとなっている他方の無線装置に対しても、該無線通信を利用して問い合わせスキャン実行の開始／終了を通知する指示中継通知手段を有することを特徴とする請求項２記載の無線通信システム。
【請求項６】
前記マスタ（もしくはスレーブ）無線装置は、前記問い合わせメッセージ送信指示手段による指示に応じて、同時に通常時固定的な組み合わせとなっている他方の無線装置に対しても、該無線通信を利用して問い合わせメッセージ送信の開始／終了を通知する指示中継通知手段を有することを特徴とする請求項２記載の無線通信システム。
【請求項７】
前記マスタ（もしくはスレーブ）無線装置は、前記スキャン実行指示手段が規定時刻になると前記指示を無線通信制御部に対し通知するタイマであり、かつ該タイマの開始／終了日時を入力するためのタイマ値入力手段を有し、
ユーザが必要に応じて指定した時刻になると自動的に問い合わせスキャン実行を開始／終了することが可能なことを特徴とする請求項１、３又は４記載の無線通信システム。
【請求項８】
前記マスタ（もしくはスレーブ）無線装置は、問い合わせメッセージ送信指示手段が規定時刻になると前記指示を無線通信制御部に対し通知するタイマであり、かつ該タイマの開始／終了日時を入力するためのタイマ値入力手段を有し、
ユーザが必要に応じて指定した時刻になると自動的に問い合わせメッセージの送信を開始／終了することが可能なことを特徴とする請求項２、５又は６記載の無線通信システム。
【請求項９】
既存のマスタ／スレーブデバイス装置間の無線リンクを切断した後に２台の無線装置が他の任意の無線装置と無線通信ネットワークを構成する場合、
前記マスタ（もしくはスレーブ）無線装置は、タイマ満了時には任意の無線装置との間で確立された無線リンクを切断し、通常時に固定的に接続されている前記マスタ／スレーブ無線装置間の無線リンクの再接続を行うことを特徴とする請求項７又は８記載の無線通信システム。
【請求項１０】
１台のマスタ無線装置と１台もしくは複数台の任意のスレーブ無線装置から構成され、マスタ無線装置とスレーブ無線装置間で通信を可能し、かつ通常は固定の通信相手と１対１のマスタ無線装置／スレーブ無線装置の組み合わせでのみ通信を行う無線通信システムにおいて、
前記マスタ（もしくはスレーブ）無線装置は、
組み合わせ相手以外の任意の無線装置を通信相手とするため、相手無線装置を探索する問い合わせメッセージ送信の開始／終了を制御する指示を出力する問い合わせメッセージ送信指示手段と、
該指示に基づいて問い合わせメッセージを送信する無線通信制御部と、
前記マスタ（もしくはスレーブ）無線装置は、前記問い合わせメッセージ送信指示手段による指示に応じて、同時に通常時固定的な組み合わせとなっている他方の無線装置に対しても、該無線通信を利用して問い合わせメッセージ送信の開始／終了を通知する指示中継通知手段と、
を有し、
無線中継を行う際に、マスタ及びスレーブ無線装置の両者ともに任意の無線中継装置に対し無線装置検出のための問い合わせメッセージを送信する場合、
前記マスタ及びスレーブ無線装置の両者は、
問い合わせメッセージを送信し、それぞれがマスタデバイスとなる無線通信ネットワークにおいて任意の無線中継装置をスレーブデバイスとして登録した後、該無線中継装置に対し通常時固定的な組み合わせの通信相手であるお互いの無線装置を識別するための識別情報を通知するための識別情報通知手段を有し、
それぞれの通信相手である無線装置の識別情報を通知された任意の無線中継装置は、
前記マスタ無線装置とスレーブ無線装置が互いに通信相手であることを認識すると同時にこれら互いの無線装置を関連づけた情報を記憶する関連づけ情報記憶手段と、
関連づけ情報を登録完了したことを前記マスタ及びスレーブ無線装置に通知する通信相手登録通知手段と、
関連づけ情報記憶手段に記憶される一方の無線装置からのデータ及び音声を他方の無線装置に対して中継するデータ中継手段と、
を有し、
該マスタ／スレーブ無線装置間で伝送されるデータを中継することでデータ伝送距離を拡張することを特徴とする無線通信システム。
【発明の詳細な説明】
【０００１】
【発明の属する技術分野】
本発明は、１台のマスタ無線装置と１台もしくは複数台のスレーブ無線装置から構成され、マスタ無線装置とスレーブ無線装置間での通信を可能とし、また、無線によるデータ中継を可能とする無線通信システムに関する。
【０００２】
【従来の技術】
従来、１台のマスタ無線装置と１台もしくは複数台のスレーブ無線装置から構成される無線通信システム（たとえば、Ｂｌｕｅｔｏｏｔｈ通信システム）が存在する。この無線通信システムにおいて、複数の任意無線装置と接続を試みる無線装置は、接続相手を発見するための問い合わせ（Ｉｎｑｕｉｒｙ）手順を常時繰り返すことで、期待の接続相手を検出し、無線リンクを確立する。また、固定の通信相手とのみ通信する無線装置は、固定の通信相手との間ですでに無線リンクが張られている場合には、当然ながら、それ以上の接続相手を発見するための問い合わせ手順は行わない。
【０００３】
また、Ｂｌｕｅｔｏｏｔｈ通信システムは、マスタ無線装置とスレーブ無線装置間のピア・ツー・ピアのデータ通信は可能であるが、スレーブ無線装置間でデータを転送することができない。このようなＢｌｕｅｔｏｏｔｈ通信システムでは、１台の無線装置が複数の無線通信ネットワーク（Ｂｌｕｅｔｏｏｔｈではピコネットと呼ばれる）に所属することが可能であり、この特徴を利用することにより複数の無線通信ネットワークをタンデムに接続することで通信範囲を拡張する可能性が示されている（Ｂｌｕｅｔｏｏｔｈではこれをスキャッタネットと呼ぶ）。
【０００４】
図１９に、従来例の動作シーケンス例を示す。Ｂｌｕｅｔｏｏｔｈ端末１（ＢＴ１）は複数の任意のＢｌｕｅｔｏｏｔｈ端末との接続を試みるＢｌｕｅｔｏｏｔｈ端末と仮定し、一方Ｂｌｕｅｔｏｏｔｈ端末（ＢＴ２）は固定の通信相手ＢＴ１とのみ接続するＢｌｕｅｔｏｏｔｈ端末であると仮定する。ＢＴ１とＢＴ２は最初はお互いにまだ識別情報も持たず、無線リンクが張られていない状態にある。ここでＢＴ１はマスタデバイスとなるべく常時問い合わせ（Ｉｎｑｕｉｒｙ）メッセージを送信し続けることにより、他のＢｌｕｅｔｏｏｔｈ端末の検出を試みる（ステップＳ１５１）。一方、ＢＴ２はＢＴ１のスレーブデバイスとなるべく、ＢＴ１からの問い合わせメッセージをスキャン（ステップＵ１５１）した後、問い合わせ応答メッセージを返信する（ステップＵ１５２）。ＢＴ１はＢＴ２からの問い合わせ応答メッセージを受信すると（ステップＳ１５２）、ＢＴ２に対しページメッセージを送信することで無線リンク（ＬＮＫ）の確立手順（ページング手順）に入る（ステップＳ１５３）。
【０００５】
一方、ＢＴ２もＢＴ１とのＬＮＫ確立のために、ＢＴ１からのページメッセージをスキャンする（ステップＵ１５３）、ＢＴ２がページスキャンに成功すると、ＢＴ１に対しページ応答メッセージを返信し（ステップＵ１５４）、ＬＮＫを確立する（ステップＵ１５５）。同様に、ＢＴ１でもＢＴ２からのページ応答メッセージを受信し（ステップＳ１５４）、ＢＴ２との間のＬＮＫが確立する（ステップＳ１５５）。
【０００６】
これら一連の動作により、ＢＴ１とＢＴ２間のＬＮＫが確立するが、複数のＢｌｕｅｔｏｏｔｈ端末と接続しようとするＢＴ１は、この後も引き続き問い合わせメッセージを送信し続ける（ステップＳ１５６）、一方、ＢＴ２は所望の接続相手ＢＴ１とのＬＮＫが確立されると、その後問い合わせスキャンは行わない。
【０００７】
【発明が解決しようとする課題】
１台のマスタ無線装置と１台もしくは複数台のスレーブ無線装置から構成される従来の無線通信システム（たとえば、Ｂｌｕｅｔｏｏｔｈ通信システム）では、無線装置が複数の無線装置との接続を試みる場合には、常に接続相手検出のための問い合わせ（Ｉｎｑｕｉｒｙ）手順を継続する必要があった。
たとえば、あるマスタ無線装置が複数のスレーブ無線装置との接続を試みる場合には、常時問い合わせメッセージを送信し続ける必要がある。また、あるスレーブ無線装置が現在マスタ／スレーブ関係にあるマスタ無線装置以外の無線装置との接続を試みる際に、新規通信相手との関係で自分がマスタデバイスとなる場合には、常時問い合わせメッセージを送信し続ける必要がある。また、自分がスレーブデバイスとなる場合には常時問い合わせ相手からの問い合わせメッセージに応じられるようにそれをスキャンし続ける必要がある。
固定的な通信相手とのみ通信を行う場合には固定の通信相手以外の無線装置に対し問い合わせ手順を行う必要はないが、問い合わせ手順を実行していない状態においてさらに任意の無線装置を通信相手として選択することはできない。
【０００８】
今後無線通信システムを利用した電子名刺交換等、任意の相手とアドホック的な無線通信ネットワークを構成し通信するようなアプリケーションの登場が予想される。しかし、任意の相手とアドホック的な無線通信を行う場合、従来の無線通信システムにおいては、上述のように、接続相手検出のための問い合わせ（Ｉｎｑｕｉｒｙ）手順を継続する必要がある。一般に無線通信では、データ送信及び受信時には、待機時と比較し、数倍から数千倍の電力が消費される。従って、前記のように複数の無線装置との間に無線リンクを確立するために常時問い合わせ手順を実行することは、消費電力の面で問題がある。
【０００９】
また、Ｂｌｕｅｔｏｏｔｈによる無線通信システムでは１台のマスタ無線装置が複数のスレーブ無線装置との間で無線リンクを張ることは可能であるが、スレーブ無線装置間の通信は行えない。そのため、任意のスレーブ無線装置間でデータ通信を行うには、データ通信を行おうとする２台のスレーブ無線装置のうちいずれか一方のスレーブ無線装置が、マスタ無線装置となる必要がある。そのため今まで所属していた無線通信ネットワークとは別の無線通信ネットワークを新たに構築し、該新規無線通信ネットワークにおいて、新しいマスタ／スレーブ無線装置間の関係を確立してデータ通信を行う必要があった。このように、新しい無線通信ネットワークを構築するという手順を踏んでデータ通信を行ったとしても、データ通信可能な範囲は拡張される訳ではない。
【００１０】
現行のＢｌｕｅｔｏｏｔｈ仕様Ｖ１．０Ｂでは、１台の無線装置がある無線通信ネットワークにおいてはマスタ無線装置の役割を担い、ある無線通信ネットワークにおいてはスレーブ無線装置の役割を担うことになる。こうして、複数の無線通信ネットワークを論理的に接続し、これら複数の無線通信ネットワークを経由することで１つの無線通信ネットワークではカバーしきれない範囲にある無線装置間でのデータ通信の可能性が示されている。しかしながら、アドホック的に無線通信ネットワークに加入／脱退を随時行えるような無線装置を考えた場合、この無線通信ネットワークを多段に接続するＢｌｕｅｔｏｏｔｈのスキャッタネットでは、実際にデータ通信を行おうとするエンド端末を中継無線通信ネットワークまたは無線中継装置が識別する方法が示されていないため、実現が難しい。
【００１１】
本発明の目的は、上記課題を鑑みて、問い合わせ手順の開始／終了の制御を行うことにより、消費電力を低減するとともに、制御手順を簡略化し、またエンド端末を識別してデータ中継を行い通信範囲を拡大できる無線通信システムを提供することにある。
【００１２】
【課題を解決するための手段】
上記課題を解決するために、本発明は、１台のマスタ無線装置と１台もしくは複数台の任意のスレーブ無線装置から構成され、マスタ無線装置とスレーブ無線装置間で通信を可能とし、かつ通常は固定の通信相手と１対１のマスタ無線装置／スレーブ無線装置の組み合わせでのみ通信を行う無線通信システムである。
前記マスタ（もしくはスレーブ）無線装置が、組み合わせ相手以外の任意の無線装置を通信相手とするため、相手無線装置を探索する問い合わせ（Ｉｎｑｕｉｒｙ）メッセージに応じて、問い合わせスキャン実行の開始／終了を制御する指示を出力する問い合わせスキャン実行指示手段と、該指示に基づいて問い合わせスキャンを実行する無線通信制御部とを有し、スキャン実行指示のあったときに問い合わせスキャンを実行することを特徴とする。
【００１３】
また、本発明は、前記マスタ（もしくはスレーブ）無線装置が、組み合わせ相手以外の任意の無線装置を通信相手とするため、相手無線装置を探索する問い合わせ（Ｉｎｑｕｉｒｙ）メッセージ送信の開始／終了を制御する指示を出力する問い合わせメッセージ送信指示手段と、該指示に基づいて問い合わせメッセージを送信する無線通信制御部とを有し、問い合わせメッセージを送信する指示を受けたときに問い合わせメッセージを送信することを特徴とする。
【００１４】
前記無線装置は、問い合わせ（Ｉｎｑｕｉｒｙ）メッセージに対する前記スキャン実行指示手段による指示に応じて、同時に通常時固定的な組み合わせとなっている他方の無線装置に対しても、該無線通信を利用して問い合わせスキャン実行の開始／終了を通知する指示中継通知手段を有することを特徴とする。
【００１５】
また、前記無線装置は、問い合わせ（Ｉｎｑｕｉｒｙ）メッセージに対する前記スキャン実行指示手段による指示に応じて、同時に通常時固定的な組み合わせとなっている他方の無線装置に対しても、該無線通信を利用して問い合わせメッセージ送信の開始／終了を通知する指示中継通知手段を有することを特徴とする。
【００１６】
また、前記無線装置は、前記問い合わせメッセージ送信指示手段による指示に応じて、同時に通常時固定的な組み合わせとなっている他方の無線装置に対しても、該無線通信を利用して問い合わせスキャン実行の開始／終了を通知する指示中継通知手段を有することを特徴とする。
【００１７】
また、前記無線装置は、前記問い合わせメッセージ送信指示手段による指示に応じて、同時に通常時固定的な組み合わせとなっている他方の無線装置に対しても、該無線通信を利用して問い合わせメッセージ送信の開始／終了を通知する指示中継通知手段を有することを特徴とする。
【００１８】
また、前記無線装置は、前記スキャン実行指示手段が規定時刻になると前記指示を無線通信制御部に対し通知するタイマであり、かつ該タイマの開始／終了日時を入力するためのタイマ値入力手段を有し、ユーザが必要に応じて指定した時刻になると自動的に問い合わせスキャン実行を開始／終了することが可能なことを特徴とする。
【００１９】
また、前記無線装置は、問い合わせメッセージ送信指示手段が規定時刻になると前記指示を無線通信制御部に対し通知するタイマであり、かつ該タイマの開始／終了日時を入力するためのタイマ値入力手段を有し、ユーザが必要に応じて指定した時刻になると自動的に問い合わせメッセージの送信を開始／終了することが可能なことを特徴とする。
【００２０】
ここで、既存のマスタ／スレーブデバイス装置間の無線リンクを切断した後に２台の無線装置が他の任意の無線装置と無線通信ネットワークを構成する場合、前記無線装置は、タイマ満了時には任意の無線装置との間で確立された無線リンクを切断し、通常時に固定的に接続されている前記マスタ／スレーブ無線装置間の無線リンクの再接続を行うことを特徴とする。
【００２１】
また、無線によるデータ中継を行う際に、マスタ及びスレーブ無線装置のいずれかが、任意の無線中継装置による無線装置検出のために送信する問い合わせメッセージに対しスキャンを実行する場合、
前記マスタ（もしくはスレーブ）無線装置は、問い合わせメッセージのスキャンを実行し、新規無線通信ネットワークのマスタデバイスとなる任意の無線中継装置にスレーブデバイスとして登録された後、前記無線中継装置に対し通常時固定的な組み合わせの通信相手である前記スレーブ（もしくはマスタ）無線装置を識別するための識別情報を通知するための識別情報通知手段を有する。
前記スレーブ（もしくはマスタ）無線装置の識別情報を通知された任意の無線中継装置は、これら通常時の組み合わせである前記マスタ／スレーブ無線装置を関連づけた情報を記憶する関連づけ情報記憶手段と、その情報を利用して前記スレーブ（もしくはマスタ）無線装置を自分がマスタデバイスとなる前記無線通信ネットワークのスレーブデバイスとして登録し、この登録が完了したことを前記マスタ（もしくはスレーブ）無線装置に通知し、また前記マスタ（もしくはスレーブ）無線装置とスレーブ（もしくはマスタ）無線装置の関連づけ情報が既登録であることを前記スレーブ（もしくはマスタ）無線装置に通知する通信相手登録通知手段と、関連づけ情報記憶手段に記憶される一方の無線装置からのデータ及び音声を他方の無線装置に対して中継するデータ中継手段とを有し、
該マスタ／スレーブ無線装置間で伝送されるデータを中継することでデータ伝送距離を拡張する。
【００２２】
また、無線によるデータ中継を行う際に、マスタ及びスレーブ無線装置のいずれかが、任意の無線中継装置に対し無線装置検出のための問い合わせメッセージを送信する場合、
前記マスタ（もしくはスレーブ）無線装置は、問い合わせメッセージを送信し、任意の無線中継装置をスレーブデバイスとして登録した後、スレーブデバイスである任意の無線中継装置に対し通常時固定的な組み合わせの通信相手である前記スレーブ（もしくはマスタ）無線装置を識別するための識別情報を通知するための識別情報通知手段を有する。
前記スレーブ（もしくはマスタ）無線装置の識別情報を通知された任意の無線中継装置は、これら通常時の組み合わせである前記マスタ／スレーブ無線装置を関連づけた情報を記憶する関連づけ情報記憶手段と、その情報を利用して前記スレーブ（もしくはマスタ）無線装置を自分がマスタデバイスとなる新規無線通信ネットワークのスレーブデバイスとして登録し、この登録が完了したことを前記マスタ（もしくはスレーブ）無線装置に通知し、また前記マスタ（もしくはスレーブ）無線装置とスレーブ（もしくはマスタ）無線装置の関連づけ情報が既登録であることを前記スレーブ（もしくはマスタ）無線装置に通知する通信相手登録通知手段と、関連づけ情報記憶手段に記憶される一方の無線装置からのデータ及び音声を他方の無線装置に対して中継するデータ中継手段とを有し、該マスタ／スレーブ無線装置間で伝送されるデータを中継することでデータ伝送距離を拡張する。
【００２３】
また、無線中継を行う際に、マスタ及びスレーブ無線装置の両者ともに任意の無線中継装置に対し無線装置検出のための問い合わせメッセージを送信する場合、
前記マスタ及びスレーブ無線装置の両者は、問い合わせメッセージを送信し、それぞれがマスタデバイスとなる無線通信ネットワークにおいて任意の無線中継装置をスレーブデバイスとして登録した後、該無線中継装置に対し通常時固定的な組み合わせの通信相手であるお互いの無線装置を識別するための識別情報を通知するための識別情報通知手段を有する。
それぞれの通信相手である無線装置の識別情報を通知された任意の無線中継装置は、前記マスタ無線装置とスレーブ無線装置が互いに通信相手であることを認識すると同時にこれら互いの無線装置を関連づけた情報を記憶する関連づけ情報記憶手段と、関連づけ情報を登録完了したことを前記マスタ及びスレーブ無線装置に通知する通信相手登録通知手段と、関連づけ情報記憶手段に記憶される一方の無線装置からのデータ及び音声を他方の無線装置に対して中継するデータ中継手段とを有し、該マスタ／スレーブ無線装置間で伝送されるデータを中継することでデータ伝送距離を拡張する。
【００２４】
本発明によれば、たとえば初対面の人とお互いの無線装置を使用して電子名刺情報の交換を行う場合や、ユーザが新幹線で移動中に無線公衆網に接続可能な無線装置付きの携帯電話に着信があり、当該無線装置と音声通信が可能な別のヘッドセット機能を有する無線装置を車内デッキに持ち出して着信を受け通信を行う際に、これら無線装置間を将来新幹線の中に設置されるであろう無線中継装置を介したデータパスで接続しようとする場合など、ユーザはアドホック的な無線通信ネットワークの構築が必要な場合にのみ、無線リンクを構築するための問い合わせ（Ｉｎｑｕｉｒｙ）メッセージの送信や問い合わせメッセージのスキャンを実行することができる。このように、ユーザは必要時に限り、無線装置に問い合わせ手順を実行させることで、消費電力を抑えることができる。
【００２５】
また、本発明によれば、問い合わせ手順の開始／終了や固定的な関係にある無線装置間の無線リンク確立を指示する手段としてユーザが自由に設置可能なタイマを用いることが可能なため、たとえば新幹線の乗車時間をユーザがあらかじめタイマ値として設定しておくことにより、新幹線に乗車すると同時に車内の無線中継装置の検出を開始し、ユーザが保有する無線公衆網に接続可能な無線通信付きの携帯電話やヘッドセット機能を有した無線装置との間でアドホック的に無線通信ネットワークを構成し、新幹線を下車すると同時に自動的に無線中継装置への問い合わせ手順実行を停止したり、前記携帯電話に組み込まれた無線装置とヘッドセット機能を有する無線装置間の無線リンクを再接続することにより通常時の状態に戻すことができる。このように、ユーザはあらかじめスケジュールされた特殊な状況下においては、自動的に無線中継装置を使用できるように環境設定を行ったり、自動的にその環境設定を解除することが可能となる。
【００２６】
さらに、本発明により、無線中継装置を用いてデータや音声データを中継させる無線装置同士の関連づけ情報を通知することにより、無線中継装置は中継すべきデータとそのデータの送信先を把握することが可能となる。
【００２７】
【発明の実施の形態】
以下、本発明の実施の形態について、図面を参照しながら説明する。
本発明を適用した無線通信システムとして、Ｂｌｕｅｔｏｏｔｈ無線技術を例に挙げて説明する。
図１は、本発明に係る無線システムを示す構成図である。この無線システムは、Ｗ−ＣＤＭＡ網１１と、ペンやキーによる情報入力手段と各種情報を表示するための液晶ディスプレイを搭載したＰＤＡ型携帯電話１３と、Ｂｌｕｅｔｏｏｔｈ無線技術による複数の無線通信ネットワークに対しマスタデバイスもしくはスレーブデバイスとして機能することにより無線通信ネットワーク間でやりとりされる無線データを中継する機能を有するＢｌｕｅｔｏｏｔｈ中継器１５と、音声データや住所録情報等の少量データを送受可能なペン型ヘッドセット端末１６で構成される。
Ｗ−ＣＤＭＡ網１１とＰＤＡ型携帯電話１３はＷ−ＣＤＭＡ１２で接続され、Ｂｌｕｅｔｏｏｔｈ中継器１５とＰＤＡ型携帯電話１３及びペン型ヘッドセット端末１６はＢｌｕｅｔｏｏｔｈ無線技術１４により接続される。
【００２８】
Ｂｌｕｅｔｏｏｔｈ通信システムは、マスタ／スレーブによる主従関係を持ったデバイス同士の間でデータ交換を可能とする典型的な無線通信システムである。ここで、ＰＤＡ型携帯電話１３とペン型ヘッドセット端末１６はＢｌｕｅｔｏｏｔｈの１つの無線通信ネットワーク（ピコネット）を構成している。そして、ＰＤＡ型携帯電話１３をマスタデバイス、ペン型ヘッドセット端末１６をスレーブデバイスとしてＢｌｕｅｔｏｏｔｈ通信システムが構成されるものと仮定する。Ｂｌｕｅｔｏｏｔｈにおいては、物理アドレスが未知の通信相手との間に無線リンクを確立する際に問い合わせ（Ｉｎｑｕｉｒｙ）手順が実行される。このとき、まずマスタデバイスとなる無線装置が問い合わせメッセージを送信し、スレーブデバイスとなる無線装置がこれをスキャンし、問い合わせメッセージを確認すると、問い合わせ応答メッセージをマスタデバイスに対し送信する。
【００２９】
また、Ｂｌｕｅｔｏｏｔｈのパワークラス３ではおおよそ１０ｍの範囲で通信が可能である。このほかに、２つのパワークラスが存在し、最も大きなパワーを利用した場合には、約１００ｍの範囲で通信が可能となる。ここでは、３つのパワークラスのうち、最も低コストで実現可能なパワークラス３、すなわち通信距離１０ｍの通信装置を想定して説明を行うものとする。
【００３０】
以降の説明を簡単にするために、さらにいくつかの仮定を行う。ＰＤＡ型携帯電話１３は、それ単体で無線公衆網であるＷ−ＣＤＭＡ網１１に接続する端末であり、ＰＤＡとしての機能もあわせ持つ端末としての位置づけから音声通信を可能とするものの、サイズは音声通信に使用するには若干大きめで、新幹線や飛行機での移動中ユーザはこれを鞄の中にしまっておくことが多いと仮定する。
【００３１】
一方、ペン型ヘッドセット端末１６はＰＤＡ型携帯電話１３のサイズ面でのデメリットをカバーするための音声アプリケーション中心の端末であり、通常ユーザはＹシャツなどの胸ポケットに入れて気軽に持ち歩けるものと仮定する。ユーザが、長距離出張などで新幹線を利用して移動する場合、車内でＰＤＡ型携帯電話１３に着信があり、この電話を受けるためにユーザはＰＤＡ型携帯電話１３を鞄の中に置いたまま、ペン型ヘッドセット端末１６のみを持ってデッキに移動し、そこで電話を受けることになる。ユーザの座席からデッキまでの距離はＢｌｕｅｔｏｏｔｈパワークラス３の範囲（１０ｍ）を越えており、ＰＤＡ型携帯電話１３とペン型ヘッドセット端末１６間のデータ通信は、新幹線の各車両に取り付けられたＢｌｕｅｔｏｏｔｈ中継器１５により中継されるものとする。
【００３２】
ここで図２をもとにＰＤＡ型携帯電話について、もう少し詳細に説明する。
ＰＤＡ型携帯電話１３は、無線通信インタフェースとしてＢｌｕｅｔｏｏｔｈインタフェース２１とＢｌｕｅｔｏｏｔｈプロトコルを処理するＢｌｕｅｔｏｏｔｈ制御部２２とを有している。またＰＤＡ型携帯電話１３は、ＰＤＣやＰＨＳに代表される無線公衆網へのインタフェースとして携帯電話インタフェース２３を有している。この他に、ＰＤＡとしての使用に必要な、様々な情報を表示するための液晶ディスプレイ２４、特にここで必要となる列車の発車時刻／到着時刻を入力するための移動スケジュール入力手段２５、該移動スケジュール入力手段２５により入力された移動スケジュールに連動して動作するタイマ２６、ユーザが新幹線の列車内にいる場合の処理をＰＤＡに行わせるための新幹線モードボタン２７などが具備されている。
移動スケジュール入力手段２５により入力されたスケジュールデータと、タイマ２６により設定されたタイマ情報は、液晶ディスプレイ２４に表示される。
【００３３】
ここで、移動スケジュール入力手段２５とは、タイマ値入力手段の一例であり、タイマ２６及び新幹線モードボタン２７はともに問い合わせスキャン実行指示手段である。新幹線モードボタン２７は、押下するたびに新幹線乗車中すなわち無線中継が必要なモードと、新幹線下車すなわち無線中継が不要なモードをトグルするものとする。また、該ＰＤＡ型携帯電話は問い合わせスキャン実行の制御を、自分にとってはスレーブデバイスにあたるペン型ヘッドセット端末１６にも中継して伝えるための指示中継通知手段２８を有している。
【００３４】
さらに、ＰＤＡ型携帯電話１３はペン型ヘッドセット端末１６の識別情報を記憶し、データ中継のためのエンド端末を関連づける情報の一部として、この識別情報をＢｌｕｅｔｏｏｔｈ中継器１５に通知するための識別情報通知手段２９を有している。図２にあるように、ＰＤＡ型携帯電話１３は移動スケジュール入力手段２５により入力されたスケジュールデータとタイマ２６を連動させるためにタイマ情報を移動スケジュールからタイマ２６に通知するためのパスを有している。
【００３５】
また、タイマ２６や新幹線モードボタン２７は、無線リンクを確立するための問い合わせスキャン実行指示手段である。この問い合わせスキャン実行指示手段はＰＤＡ型携帯電話１３による問い合わせメッセージのスキャンの開始／終了を指示するのみでなく、ＰＤＡ携帯電話１３にとってはスレーブデバイスにあたるペン型ヘッドセット端末１６も問い合わせスキャン実行の開始／終了の指示を通知するために、この情報を指示中継通知手段２８に伝えるパスを有している。
【００３６】
さらに、ＰＤＡ型携帯電話１３はＢｌｕｅｔｏｏｔｈ中継器１５との無線リンク確立に成功すると、データ中継に必要となるペン型ヘッドセット端末１６の識別情報をＢｌｕｅｔｏｏｔｈ中継器１５に通知する。ペン型ヘッドセット端末１６への問い合わせスキャン実行の制御情報やＢｌｕｅｔｏｏｔｈ中継器１５に対して通知するペン型ヘッドセット端末１６の識別情報は、すべてＢｌｕｅｔｏｏｔｈ制御部２２を通しＢｌｕｅｔｏｏｔｈインタフェース２１を介して通知される。そのほか、ＰＤＡ型携帯電話１３は音声入出力手段３０を有しており、これらは携帯電話インタフェース２３を介してＷ−ＣＤＭＡに接続している。また、ＰＤＡ型携帯電話１３は住所録記憶手段３１を有しており、この情報はＢｌｕｅｔｏｏｔｈ制御部２２及びＢｌｕｅｔｏｏｔｈインタフェース２１を介してペン型ヘッドセット端末１６との間でやり取りされる。
【００３７】
次に図３をもとに、Ｂｌｕｅｔｏｏｔｈ中継器１５について説明する。
Ｂｌｕｅｔｏｏｔｈ中継器１５は、その名の通りＢｌｕｅｔｏｏｔｈ上のデータを中継するためのデータ中継機能を有しており、またＢｌｕｅｔｏｏｔｈ制御部４２ではＢｌｕｅｔｏｏｔｈインタフェース４１を介して複数のピコネットと呼ばれる無線通信ネットワークに所属することが可能である。該Ｂｌｕｅｔｏｏｔｈ中継器１５は、データ中継を行う２つのエンドＢｌｕｅｔｏｏｔｈ端末（ここでは、ＰＤＡ型携帯電話１３及びペン型ヘッドセット端末１６）の識別情報を関連づけて記憶する関連づけ情報記憶手段４３と、通知相手登録通知手段４４と、該関連づけ情報をもとに２つのエンドＢｌｕｅｔｏｏｔｈ端末間のデータを中継するデータ中継手段４５とを有している。
【００３８】
図４をもとに、ペン型ヘッドセット端末１６について説明する。
ペン型ヘッドセット端末１６は、無線インタフェースとしてＢｌｕｅｔｏｏｔｈインタフェース５１及びＢｌｕｅｔｏｏｔｈ制御部５２を有している。このほかに、ペン型ヘッドセット端末１６は音声入出力手段５３、住所録情報記憶手段５４、住所録等を表示するための液晶ディスプレイ５５等を有している。音声入出力手段５３、住所録情報記憶手段５４は、Ｂｌｕｅｔｏｏｔｈインタフェース５１及びＢｌｕｅｔｏｏｔｈ制御部を介してＢｌｕｅｔｏｏｔｈに接続し、音声端末としての機能を果たす。
【００３９】
この無線通信システムにおける各部の通信動作の実施形態について説明する。
【００４０】
＜第１実施形態＞
図５及び図６は、この無線通信システムによるデータ中継の第１実施形態を示す動作シーケンスである。この無線通信システムは、上記のように仮定した利用シールによるＰＤＡ型携帯電話１３、ペン型ヘッドセット端末１６及びＢｌｕｅｔｏｏｔｈ中継器１５から構成される。
【００４１】
まず通常の状態では、ＰＤＡ携帯電話（ＷＴ１）１３とペン型ヘッドセット端末（ＷＴ２）１６は無線リンク（ＬＮＫ１）で接続されており、このときのマスタ／スレーブの関係はＰＤＡ型携帯電話１３がマスタデバイス（ステップＳ１）、ペン型ヘッドセット端末１６がスレーブデバイス（ステップＵ１）である。以降、ＰＤＡ型携帯電話１３をＷＴ１、ペン型ヘッドセット端末１６をＷＴ２、ＰＤＡ型携帯電話１３とペン型ヘッドセット端末１６間の無線リンクをＬＮＫ１として記述する。ユーザは、新幹線の切符を手配すると事前に出発時刻と到着時刻に関する情報をＷＴ１内蔵のタイマ値入力手段である「移動スケジュール入力手段２５」にてデータを入力する（ステップＳ２）。このデータはＷＴ１内蔵のタイマ２６と連動して動作する仕掛けとなっている。
【００４２】
次にユーザは予定の新幹線に乗車し、出発を持つ。新幹線内の各車両に設置されたＢｌｕｅｔｏｏｔｈ中継器１５は、常に周辺のＢｌｕｅｔｏｏｔｈ端末を探すために問い合わせ（Ｉｎｑｕｉｒｙ）メッセージを定期的に送信している（ステップＴ１）。以降、Ｂｌｕｅｔｏｏｔｈ中継器１５をＷＲ１として記述する。新幹線の出発時刻（ステップＳ３）になると、ＷＴ１内蔵のタイマ２６が問い合わせスキャン実行開始をＷＴ１に指示し（ステップＳ４）、同時に通常の通信相手であるＷＴ２に対しても問い合わせスキャンを実行するよう指示を出す（ステップＳ４）。
【００４３】
この指示は、ＷＴ１の指示中継通知手段２８によりＷＴ２に伝えられる。ＷＴ２はこれを受けて、問い合わせスキャンを実行する（ステップＵ２）。さらに、ＷＴ１とＷＴ２間の無線リンクＬＮＫ１を切断する（ステップＳ５及びＵ３）。ここで、ＬＮＫ１については、必ずしも切断する必要はない。たとえば、ＬＮＫ１については、Ｂｌｕｅｔｏｏｔｈの動作モードのひとつであるＰａｒｋモードなどの低消費電力モードにするだけで、リンクを接続状態のまま維持しても構わない。
【００４４】
また、ＷＴ１からＷＴ２に対して問い合わせスキャンもしくは問い合わせメッセージの送信の開始を指示するメッセージが通知されない場合には、ＷＴ２側にもこれら動作を指示するための手段が必要となる。
なお、ＷＴ１及びＷＴ２はいずれがマスタでもスレーブでもよいので、実行する問い合わせ手順は、どちらがスレーブデバイス動作でも、マスタデバイス動作でもよい。
【００４５】
また、タイマ値入力手段２５とタイマ２６による問い合わせスキャン実行起動の説明を行っているが、タイマ値入力手段２５及びタイマ２６による問い合わせ手順実行指示手段を持たない場合では、前記「新幹線モードボタン」２７など別の手段により問い合わせ手順を実行しなければならない。なお、ＷＴ１及びＷＴ２はいずれがマスタでもスレーブでもよいので、実行する問い合わせ手順は、どちらがスレーブデバイス動作でも、マスタデバイス動作でもよい。
【００４６】
この実施形態では、タイマ２６より指示できる動作を問い合わせ手順のみでなく、通常状態（ＷＴ１とＷＴ２間のＬＮＫ１接続）までの復旧を指示するようにしている。この復旧までの動作を自動的に行うようにすることもできるし、ユーザの明示的な指示によるものとすることもできる。
【００４７】
さて、ＷＴ１及びＷＴ２の問い合わせスキャンが実行され、ＷＲ１からの問い合わせメッセージを正しくスキャンすると、ＷＴ１とＷＲ１間の無線リンク（ＬＮＫ２）が確立し（ステップＳ６及びＴ２）、またＷＴ２とＷＲ１間の無線リンク（ＬＮＫ３）が確立する（ステップＵ４及びＴ２）。以降、ＷＴ１とＷＲ１間の無線リンクをＬＮＫ２、ＷＴ２とＷＲ１間の無線リンクをＬＮＫ３として記述する。ＬＮＫ２が確立すると、ＷＴ１はＷＴ２との関連づけをＷＲ１に認識させるために、識別情報通知手段２９を用いてＷＴ２の物理アドレス（ＢＤ−ＡＤＤＲ）等による識別情報をＷＲ１に通知する（ステップＳ７）。
【００４８】
ＷＴ１からの識別情報を受信したＷＲ１は、関連づけ情報記憶手段４３により得られた識別情報とＷＴ１とを関連づけして記憶する（ステップＴ３）。ＷＲ１はこの時点でＷＴ１ともＷＴ２とも無線リンクを確立しており、かつＷＴ１とＷＴ２の関連づけが終っているため、ＷＲ１は通信相手登録通知機能４４により、ＷＴ１に対してはＷＴ２の登録を、ＷＴ２に対してはＷＴ１の登録をそれぞれ通知する（ステップＴ４）。ＷＴ１はこの通知を受けてＷＴ２へのデータ中継が可能となったことを知る（ステップＳ８）。また、同様にＷＴ２はこの通知を受けてＷＴ１へのデータ中継が可能となったことを知る（ステップＵ５）。一般的には、これ以降自由にＷＴ１とＷＴ２間でＷＴ１を介してデータ伝送を行うことができる。
【００４９】
ここでは、最もこの機能を使用するにふさわしい、ＰＤＡ型携帯電話１３の着信を事例として取り上げる。ＷＴ１の携帯電話が着信すると（ステップＳ９）、ユーザはＷＲ１経由の着信情報をＷＴ２を介して認識し（ステップＳ１０、Ｔ５及びＵ６）、ＷＴ２のみを持って車内デッキへと移動する（ステップＵ７）。以降、通話が終るまでのＷＴ１とＷＴ２間の音声データは全てＷＲ１経由で中継される（ステップＳ１０、Ｔ５及びＵ６）、新幹線の到着時刻になると（ステップＳ１１）、ＷＴ１内蔵のタイマ２６が問い合わせスキャン実行終了をＷＴ１に提示し（ステップＳ１２）、同時にＷＴ２に対しても問い合わせスキャンを終了するよう指示を出す（ステップＳ１２）。
【００５０】
この指示は、ＷＴ１の指示中継通知手段２８によりＷＴ２に伝えられる。ＷＴ２はこれを受けて、問い合わせスキャンを終了する（ステップＵ８）。なお、問い合わせスキャンを乗車中ずっと継続して行っている必要はなく、ＷＲ１が発見できた時点でスキャンを終了しても構わない。Ｂｌｕｅｔｏｏｔｈ中継器が復数台存在する場合でも、問い合わせスキャンで検出する問い合わせメッセージ数を指定することにより、問い合わせスキャン実行の時間を減らすことができる。その場合は、ステップＳ１２の処理は不要であるが、実際はＷＲ１による中継が不要となったことを何らかの形でＷＴ１／ＷＴ２に通知することが望ましい。ここでは、途中で車両を移動するなどの理由でＷＴ２がＷＲ１を見失うような状況も想定して、問い合わせスキャン終了指示処理を明示的に入れている。
【００５１】
この後、ＷＴ１とＷＲ１間のＬＮＫ２と、ＷＴ２とＷＲ１間のＬＮＫ３を切断する（ステップＳ１３、Ｔ６及びＵ９）。なお、この処理に関しても、新幹線を降りた時点でＷＴ１及びＷＴ２はＷＲ１の通信範囲外となり、明示的に切断処理を行わずとも無線リンクは切断される。
ここでは、ＷＴ１とＷＴ２間の無線リンクＬＮＫ１の復旧までをスコープとしているため、この後の処理が続くが、新幹線下車後の動作シーケンスが存在しない場合もある。
【００５２】
ユーザが新幹線を下車すると、ＷＴ１は通信相手のＷＴ２と中継器ＷＲ１を介さずに直接通信するために、ＬＮＫ１の接続手順に入る。ＷＴ１はＷＴ２の物理アドレスを忘れずに記憶していると仮定すると、Ｂｌｕｅｔｏｏｔｈのページメッセージ送信を開始する（ステップＳ１４）、一方ＷＴ２はページメッセージのスキャンを開始する（ステップＵ１０）、このページング処理に成功すると、ＷＴ１とＷＴ２間に再び無線リンクＬＮＫ１が接続される（ステップＳ１５及びＵ１１）。
【００５３】
なお、新幹線搭乗後の動作における上記動作シーケンスのデータ中継では、ＷＲ１がマスタデバイスでＷＴ１及びＷＴ２がスレーブデバイスとなる１つの無線通信ネットワーク（ピコネット）を構成して動作する。このため、ＷＴ１及びＷＴ２はいずれもＷＲ１が送信する問い合わせメッセージをスキャンする動作をとる。
【００５４】
他のデータ中継の場合は、ＷＴ１とがマスタデバイスでＷＲ１がスレーブデバイスとなる無線通信ネットワーク（ピコネット）と、ＷＲ１がマスタデバイスでＷＴ２がスレーブデバイスとなる無線通信ネットワーク（ピコネット）の２つの無線通信ネットワークによりデータ中継を実現する。それぞれの無線通信ネットワークを構成するために、ＷＴ１はＷＲ１を検出するために問い合わせメッセージの送信を行い、一方ＷＲ１もＷＴ２を検出するために問い合わせメッセージの送信を行う。
【００５５】
また、他のデータ中継の場合には、ＷＴ１がマスタデバイスでＷＲ１をスレーブデバイスとする無線通信ネットワーク（ピコネット）と、ＷＴ２がマスタデバイスでＷＲ１がスレーブデバイスとする無線通信ネットワーク（ピコネット）の２つの無線通信ネットワークによりデータ中継を実現する。それぞれの無線通信ネットワークを構成するために、ＷＴ１及びＷＴ２はいずれもＷＲ１を検出するために問い合わせメッセージの送信を行う。
【００５６】
ここまで、ＰＤＡ型携帯電話１３、ペン型ヘッドセット端末１６及びＢｌｕｅｔｏｏｔｈ中継器１５により構成される無線通信システムの動作シーケンスについて説明した。また、説明の中で簡単ではあるが、他のデータ中継の場合との相違点についても説明した。以降は、ここまで詳細を説明しなかった実施形態について補足説明する。
【００５７】
＜第２実施形態＞
次に、本発明を適用した無線通信システムの動作シーケンスについて、先の第１実施形態を適用した無線通信システムの動作シーケンス（図５及び図６）との違いをもとに、図７及び図８を用いて簡単に説明する。
まず、新幹線乗車後にＴ１及びＷＴ２に対し問い合わせスキャン実行を指示する必要があるが、ＷＴ１の動作では「新幹線出発時刻」を検知したタイマ２６による問い合わせスキャン実行開始ではなく、ユーザ自身が「新幹線モードボタン２７を押下」（ステップＳ２３）することにより、ステップＳ２４「問い合わせスキャン実行」となる。同様に、ステップＳ３１もタイマ２６による「新幹線到着時刻」ではなく、ここは「新幹線モードボタン２７を押下」となる。
【００５８】
また、ステップＳ２４及びＳ３２では、図５及び図６のように、ＷＴ１からＷＴ２に対し問い合わせスキャン実行開始／終了指示を中継しないことから、ステップＳ２４では「問い合わせスキャン実行指示」の指示動作が、ステップＳ３２では「問い合わせスキャン終了指示」の指示動作がそれぞれなくなり、ステップＳ２４では「問い合わせスキャン実行」、ステップＳ３２では「問い合わせスキャン終了」のみの動作となる。
【００５９】
一方、ＷＴ２の動作ではＷＴ１からの問い合わせスキャン制御情報の通知が行われないことから、ステップＵ２３及びＵ３０の問い合わせスキャン実行／終了の前に、これら動作を指示するための動作、ステップＵ２２及びＵ２９において「新幹線モードボタン５６を押下」の動作が追加される。また、ＷＴ１についてはステップＳ３３以降の動作が、ＷＴ２についてはステップＵ３１以降の動作が行われない。これ以外は、図５及び図６の動作と同じである。
【００６０】
＜第３実施形態＞
本発明を適用した無線通信システムの第３実施形態における動作シーケンスについて、第１実施形態を適用した無線通信システムの動作シーケンス（図５及び図６）との違いをもとに、図９及び図１０を用いて簡単に説明する。
新幹線乗車後にＷＴ１及びＷＴ２に対し問い合わせスキャン実行を指示する必要があるが、ＷＴ１の動作ではステップＳ４３が、「新幹線出発時刻」を検知したタイマ２６による問い合わせスキャン実行開始ではなく、ユーザ自身が「新幹線モードボタン２７を押下」することにより、ステップＳ４４の「問い合わせスキャン実行」となる。
【００６１】
同様に、ステップＳ５１も「新幹線到着時刻」ではなく、ここは「新幹線モードボタン２７を押下」となる。ステップＳ４４の動作については「問い合わせスキャン実行指示」が「問い合わせメッセージ送信指示」に、また、ステップＳ５２については「問い合わせスキャン実行終了指示」が「問い合わせメッセージ送信終了指示」にそれぞれ変わる。ＷＴ２はＷＲ１に対し問い合わせメッセージ送信を行う側、すなわちマスタデバイスとして動作していることから、ＷＲ１はＷＴ２に対しスレーブデバイスとして動作する必要がある。そこで、ＷＲ１の動作としては、ステップＴ４１の動作が「問い合わせメッセージ送信（常時）」から「問い合わせメッセージ送信＆問い合わせスキャン実行（常時）」となる。
また、ＷＴ１についてはステップＳ５３以降の動作が、ＷＴ２についてはステップＵ４９以降の動作が行われない。
【００６２】
＜第４実施形態＞
本発明を適用した無線通信システムの第４実施形態における動作シーケンスについて、第１実施形態を適用した無線通信システムの動作シーケンス（図５及び図６）との違いをもとに、図１１及び図１２を用いて簡単に説明する。ここで定義の無線通信システムは、ＷＴ１についてはステップＳ７３以降の動作が、ＷＴ２についてはステップＵ６９以降の動作が行われない。これ以外は、図５及び図６の動作と同じである。
【００６３】
＜第５実施形態＞
次に、本発明を適用した無線通信システムの第５実施形態における動作シーケンスについて、第１実施形態を適用した無線通信システムの動作シーケンス（図５及び図６）との違いをもとに、図１３及び図１４を用いて簡単に説明する。
まずＷＴ１の動作に関してはタイマ２６に対応していないことから、ステップＳ８３の「新幹線出発時刻」及びステップＳ９３の「新幹線到着時刻」ともに「新幹線モードボタン２７を押下」となる。また、ＷＴ１及びＷＴ２はＷＲ１に対しマスタデバイスとして動作し、かつＷＴ２への問い合わせメッセージ送信の制御情報転送は行わないため、ステップＳ８４の「問い合わせスキャン実行＆問い合わせスキャン実行指示」は「問い合わせメッセージ送信」に、またステップＳ９２は「問い合わせスキャン終了＆問い合わせスキャン実行指示」が「問い合わせメッセージ送信終了」にそれぞれ変わる。
【００６４】
また、ＷＴ２も同様でステップＵ８３及びＵ９０の前にそれぞれステップＵ８２及びＵ８９の「新幹線モードボタン５６を押下」が挿入される。さらにＷＴ２はＷＲ１に対しマスタデバイスとなるため、ステップＵ８３の「問い合わせスキャン実行」は「問い合わせメッセージ送信」に、ステップＵ９０の「問い合わせスキャン終了」は「問い合わせメッセージ送信終了」に変わる。ＷＲ１に関してはステップＴ８１の「問い合わせメッセージ送信（常時）」が「問い合わせスキャン実行（常時）」に置き換わる。
ここで定義の無線通信システムは、ＷＴ１についてはステップＳ９３以降の動作が、ＷＴ２についてはステップＵ９１以降の動作が行われない。これ以外は、図５及び図６の動作と同じである。
【００６５】
＜第６実施形態＞
次に、本発明を適用した無線通信システムの第６実施形態における動作シーケンスについて、第５実施形態を適用した無線通信システムの動作シーケンス（図１３及び図１４）との違いをもとに、図１５及び図１６を用いて簡単に説明する。
前述の動作シーケンスと異なる点は、まずタイマ２６と問い合わせ手順制御が連動することにより、ＷＴ１ではステップＳ１０３及びＳ１１１の「新幹線モードボタン２７を押下」が、それぞれ「新幹線出発時刻」と「新幹線到着時刻」になる。
【００６６】
ＷＴ２に関しては、同様にステップＵ８２及びＵ８９「新幹線モードボタン５６を押下」の動作が削除される。さらに、ＷＴ１からＷＴ２に対して問い合わせメッセージ送信制御情報を通知することから、ＷＴ１のステップＳ１０４が「問い合わせメッセージ送信」から「問い合わせメッセージ送信＆問い合わせメッセージ送信指示」に、ステップＳ１１２が「問い合わせメッセージ送信終了」から「問い合わせメッセージ送信終了＆問い合わせメッセージ送信終了指示」に変わる。これ以外は、図１３及び図１４の動作と同じである。
【００６７】
＜第７実施形態＞
次に、本発明を適用した無線通信システムの第７実施形態における動作シーケンスについて、第６実施形態を適用した無線通信システムの動作シーケンス（図１５及び図１６）との違いをもとに、図１７及び図１８を用いて簡単に説明する。
まず、ＷＴ１の動作としてはステップＳ１１４の「問い合わせメッセージ送信＆問い合わせメッセージ送信指示」が「問い合わせメッセージ送信＆問い合わせスキャン実行指示」に、ステップＳ１２２の「問い合わせメッセージ送信終了＆問い合わせメッセージ送信終了指示」が「問い合わせメッセージ送信終了＆問い合わせスキャン終了指示」に変わる。
【００６８】
また、ＷＴ２の動作ではステップＵ１１２の「問い合わせメッセージ送信」が「問い合わせスキャン実行」に、ステップＵ１１８の「問い合わせメッセージ送信終了」が「問い合わせスキャン終了」に変わる。さらに、ＷＲ１のステップＴ１１１が「問い合わせスキャン実行（常時）」から「問い合わせスキャン実行＆問い合わせメッセージ送信（常時）」に変わる。これ以外は、図１５及び図１６の動作と同じである。
【００６９】
以上の説明で、組み合わせの違いはあるものの、全請求項の使用例を説明している。
【００７０】
【発明の効果】
本発明は、以上の説明から明らかなように、以下のような効果がある。
（１）複数の無線装置間でアドホック的なネットワークを構成する無線通信システムにおいて、ユーザが新規の無線装置を検出するための問い合わせ手順の開始／終了の制御を行うことにより、常に問い合わせ手順を実行しなくてもよいことから、無線通信端末の低消費電力化が可能となる。
（２）無線中継装置との接続において、無線通信における問い合わせ手順の開始／終了の制御情報を無線を介して通信相手にも通知することにより、マスタとスレーブの関係にある無線通信装置の両方の問い合わせ手順を別々に制御することなく、片方の無線装置のみを制御することで両方の無線装置の問い合わせ手順を制御することで、制御手順を簡略化している。
（３）タイマを無線通信における問い合わせ手順の開始／終了のトリガとして使用することにより、問い合わせ手順の開始／終了をユーザが事前に設定することを可能としている。
（４）無線中継装置に自分が通信する相手の識別情報を通知し、それにより無線中継装置ではデータ中継を行うペアの関連づけが行われることによりはじめてデータの中継が可能となることで、通常の通信範囲を拡張して通信距離を拡大することが可能である。
【図面の簡単な説明】
【図１】本発明に係るＢｌｕｅｔｏｏｔｈにより構成される無線通信システムの構成図である。
【図２】ＰＤＡ型携帯電話のブロック図である。
【図３】Ｂｌｕｅｔｏｏｔｈ中継器のブロック図である。
【図４】ペン型ヘッドセット端末のブロック図である。
【図５】無線通信システムの第１実施形態の通信動作を示すシーケンス図である。
【図６】図５に続く無線通信システムの第１実施形態の通信動作を示すシーケンス図である。
【図７】無線通信システムの第２実施形態の通信動作を示すシーケンス図である。
【図８】図７に続く無線通信システムの第２実施形態の通信動作を示すシーケンス図である。
【図９】無線通信システムの第３実施形態の通信動作を示すシーケンス図である。
【図１０】図９に続く無線通信システムの第３実施形態の通信動作を示すシーケンス図である。
【図１１】無線通信システムの第４実施形態の通信動作を示すシーケンス図である。
【図１２】図１１に続く無線通信システムの第４実施形態の通信動作を示すシーケンス図である。
【図１３】無線通信システムの第５実施形態の通信動作を示すシーケンス図である。
【図１４】図１３に続く無線通信システムの第５実施形態の通信動作を示すシーケンス図である。
【図１５】無線通信システムの第６実施形態の通信動作を示すシーケンス図である。
【図１６】図１５に続く無線通信システムの第６実施形態の通信動作を示すシーケンス図である。
【図１７】無線通信システムの第７実施形態の通信動作を示すシーケンス図である。
【図１８】図１７に続く無線通信システムの第７実施形態の通信動作を示すシーケンス図である。
【図１９】２台のＢｌｕｅｔｏｏｔｈ端末により構成される従来の無線通信システムの動作シーケンス図である。
【符号の説明】
１１  Ｗ−ＣＤＭＡ網
１２  Ｗ−ＣＤＭＡ
１３  ＰＤＡ型携帯電話
１４  Ｂｌｕｅｔｏｏｔｈ
１５  Ｂｌｕｅｔｏｏｔｈ中継器
１６  ペン型ヘッドセット端末
２１，４１，５１  Ｂｌｕｅｔｏｏｔｈインタフェース
２２，４２，５２  Ｂｌｕｅｔｏｏｔｈ制御部
２３  携帯電話インタフェース
２４，５５  液晶ディスプレイ
２５  移動スケジュール入力手段
２６  タイマ
２７，５６  新幹線モードボタン
２８  指示中継通知手段
２９  識別情報通知手段
３０，５３  音声入出力手段
３１，５４  住所録情報記憶手段
４３  関連づけ情報記憶手段
４４  通知相手登録通知手段
４５  データ中継手段
【図１】
0003600505.tif 000002
【図２】
0003600505.tif 000003
【図３】
0003600505.tif 000004
【図４】
0003600505.tif 000005
【図５】
0003600505.tif 000006
【図６】
0003600505.tif 000007
【図７】
0003600505.tif 000008
【図８】
0003600505.tif 000009
【図９】
0003600505.tif 000010
【図１０】
0003600505.tif 000011
【図１１】
0003600505.tif 000012
【図１２】
0003600505.tif 000013
【図１３】
0003600505.tif 000014
【図１４】
0003600505.tif 000015
【図１５】
0003600505.tif 000016
【図１６】
0003600505.tif 000017
【図１７】
0003600505.tif 000018
【図１８】
0003600505.tif 000019
【図１９】
0003600505.tif 000020